(57)【要約】  無線通信ネットワークのライセンスバンドにおけるセル内の装置間接続を集中的に設定及び制御するための装置及び方法が本明細書において開示される。ｅＮｏｄｅＢは、第２の装置と通信するための第１の装置からの要求、又はコンテンツ又はサービスに対する第１の装置からの要求を受信する。ｅＮｏｄｅＢは、第１の装置と少なくとも候補装置との間のデバイスディスカバリをスケジュールする。ｅＮｏｄｅＢは、第１の装置又は候補装置のうちの一方によって生成されたディスカバリ・レポートに基づき、第１の装置と候補装置との間の装置間接続の設定を判定する。ディスカバリ・レポートは、スケジュールされたデバイスディスカバリにおいて、前記第１の装置又は候補装置のうちの一方により受信される、前記第１の装置と候補装置のうちの他方からの伝送の信号品質についての情報を含む。
2015510333.tif 000002
【特許請求の範囲】
【請求項１】
無線通信ネットワークのライセンスバンドにおける装置間接続を制御する拡張ノードＢ（ｅＮｏｄｅＢ）であって、前記ｅＮｏｄｅＢは：
第２の装置と通信する第１の装置からの要求、又はコンテンツ又はサービスに対する前記第１の装置からの要求を受信する送受信部；
前記送受信部と通信するプロセッサであって、該プロセッサは、前記第１の装置と少なくとも候補装置との間のデバイスディスカバリをスケジュールし、かつ前記第１又は候補装置の一方により生成されたディスカバリレポートに基づき、前記第１の装置と前記候補装置との間の前記装置間接続の設定を判定し、前記ディスカバリレポートは、前記スケジュールされたデバイスディスカバリの際に、前記第１又は候補装置の一方により受信される前記第１又は候補装置の他方からの伝送の信号品質についての情報を含む、プロセッサ；
を備える。
【請求項２】
前記プロセッサは、前記装置間接続を設定するために、スケジューリング情報を決定し、前記送受信部は、前記装置間接続を設定するために、前記第１の装置及び前記候補装置それぞれに対して、前記スケジューリング情報を送信する、
請求項１に記載のｅＮｏｄｅＢ。
【請求項３】
前記第１の装置からの前記受信した要求を前記第２の装置に通知する場合、前記候補装置は、前記第２の装置である、
請求項１に記載のｅＮｏｄｅＢ。
【請求項４】
前記プロセッサは、前記少なくとも１つの候補装置の前記第１の装置に対する近さに基づき、前記少なくとも１つの候補装置を決定する、
請求項１に記載のｅＮｏｄｅＢ。
【請求項５】
前記プロセッサは、前記第１の装置により要求される前記コンテンツ又はサービスを提供するために、前記候補装置を利用可能かどうかに基づき、少なくとも１つの候補装置を決定する、
請求項１に記載のｅＮｏｄｅＢ。
【請求項６】
前記プロセッサと通信するメモリは、前記第１の装置により要求される前記コンテンツ又はサービスを提供するために、装置を利用可能かどうかについての情報を含む、
請求項５に記載のｅＮｏｄｅＢ。
【請求項７】
前記デバイスディスカバリは、前記スケジュールされたデバイスディスカバリの際に、前記第１又は候補装置の他方に特定のメッセージを送信させるための第１の命令、及び前記スケジュールされたデバイスディスカバリの際に、前記第１又は候補装置の一方に受信モードで動作させるための第２の命令を含む、
請求項１に記載のｅＮｏｄｅＢ。
【請求項８】
前記第１の装置から受信した要求が前記コンテンツ又はサービス対しての要求である場合、前記デバイスディスカバリは、前記第１又は候補装置の他方に、前記要求されたコンテンツ又はサービスについての情報を送信させるための第３の命令、及び前記第１又は候補装置の一方に、前記コンテンツ又はサービスの利用可能性を確認させるための第４の命令を含み、前記第１又は候補装置の他方は、前記第１の装置及び前記候補装置を含む前記第１又は候補装置の一方を含む、
請求項７に記載のｅＮｏｄｅＢ。
【請求項９】
前記第１の装置から受信した要求が前記コンテンツ又はサービス対しての要求である場合、前記デバイスディスカバリは、前記第１又は候補装置の他方が、前記第１又は候補装置の他方により提供されるコンテンツ又はサービスを前記特定のメッセージに含めるようにするための第３の命令を含み、前記第１又は候補装置の他方は、前記候補装置及び前記第１の装置を含む前記第１又は候補装置の一方を含む、
請求項７に記載のｅＮｏｄｅＢ。
【請求項１０】
前記送受信部は、前記候補装置から、前記コンテンツ又はサービスについての利用可能性情報を、前記ｅＮｏｄｅＢからの命令無しで、自動的に受信する、
請求項７に記載のｅＮｏｄｅＢ。
【請求項１１】
前記無線通信ネットワークは、第３世代パートナーシッププロジェクト（３ＧＰＰ）ロングタームエボルーション（ＬＴＥ）ネットワークを含む、
請求項１に記載のｅＮｏｄｅＢ。
【請求項１２】
拡張ノードＢ（ｅＮｏｄｅＢ）であって、
第２の装置と通信するための第１の装置からの要求、又はコンテンツ又はサービスに対する前記第１の装置からの要求を受信する送受信部；
前記送受信部と通信するプロセッサであって、前記プロセッサは、前記第１の装置と少なくとも候補装置との間のデバイスディスカバリをスケジュールし、かつ前記第１又は候補装置の一方により生成されたディスカバリレポートに基づき、前記第１の装置と前記候補装置との間の装置間接続の設定を判定し、前記ディスカバリレポートは、前記スケジュールされたデバイスディスカバリの際の送信信号品質についての情報を含み、前記第１の装置及び前記候補装置の両方は、前記ｅＮｏｄｅＢにより提供されるセル内に位置する、プロセッサ；
を備えるｅＮｏｄｅＢ。
【請求項１３】
ディスカバリレポートは、前記スケジュールされたデバイスディスカバリの際に前記第１又は候補装置により受信される場合の前記第１又は候補装置の他方からの送信の信号品質についての情報を含む、
請求項１２に記載のｅＮｏｄｅＢ。
【請求項１４】
前記プロセッサは、単方向装置間接続、双方向装置間接続、及び装置−基地局間接続の設定の中から選択することにより、前記デバイス間接続を設定するかどうか判定する、
請求項１２に記載のｅＮｏｄｅＢ。
【請求項１５】
前記スケジューリング情報は、前記装置間接続に対して一意である接続識別子（ＣＩＤ）及び前記装置間接続において通信するための少なくとも１つのシグナリングパラメータを含む、
請求項１２に記載のｅＮｏｄｅＢ。
【請求項１６】
前記プロセッサは、前記第１の装置と前記候補装置との間の一定の装置間距離に基づき、複数の装置から少なくとも１つの候補装置を選択する、
請求項１２に記載のｅＮｏｄｅＢ。
【請求項１７】
前記プロセッサは、前記装置間通信が設定された後、前記装置間接続における前記第１の装置と前記候補装置との間の次の通信をスケジュールするために、前記装置間接続のセッションの性能を監視する、
請求項１２に記載のｅＮｏｄｅＢ。
【請求項１８】
前記第１の装置から受信した要求を前記第２の装置に通知する場合、前記候補装置は、前記第２の装置である、
請求項１２に記載のｅＮｏｄｅＢ。
【請求項１９】
前記プロセッサは、前記少なくとも１つの候補装置の前記第１の装置に対する近さに基づき、前記少なくとも１つの候補装置を決定する、
請求項１２に記載のｅＮｏｄｅＢ。
【請求項２０】
前記プロセッサは、前記第１の装置により要求される前記コンテンツ又はサービスを提供するために、前記候補装置を利用可能かどうかに基づき、前記少なくとも１つの候補装置を決定する、
請求項１２に記載のｅＮｏｄｅＢ。
【請求項２１】
前記第１の装置、前記第２の装置、及び前記候補装置は、それぞれ、第３世代パートナーシッププロジェクト（３ＧＰＰ）ロングタームエボルーション（ＬＴＥ）ネットワークにおいて動作するユーザ装置（ＵＥ）を含む、
請求項１２に記載のｅＮｏｄｅＢ。
【請求項２２】
拡張ノードＢ（ｅＮｏｄｅＢ）を含む無線通信ネットワークのライセンスバンドにおける装置間接続を制御する方法であって：
第２の装置と通信するための第１の装置からの要求を受信するステップ；
前記ｅＮｏｄｅＢにより、前記第１の装置と前記第２の装置との間のデバイスディスカバリをスケジュールするステップであって、デバイスディスカバリ期間において、送信モードで動作させるために、前記第１又は第２の装置の一方を指定すること、及び受信モードで動作させるために前記第１又は第２の装置の他方を指定することを含む、ステップ；
前記第１又は第２の装置の他方からディスカバリレポートを受信するステップであって、該ディスカバリレポートは、前記デバイスディスカバリ期間において、前記第１又は第２の装置の他方により受信される場合の、前記第１又は第２の装置の一方からの送信の信号品質についての情報を含む、ステップ；及び
前記ｅＮｏｄｅＢにより、前記受信したディスカバリレポートに従って、前記第１及び第２の装置の間の前記装置間接続を決定するステップ；
を備える、方法。
【請求項２３】
前記装置間接続を決定するステップは、単方向装置間接続、双方向装置間接続、及び装置−基地局間接続の設定の中で選択することを含む、
請求項２２に記載の方法。
【請求項２４】
前記装置間接続を設定するために、前記第１及び第２の装置それぞれに対して、スケジューリング情報を送信するステップ；
をさらに備える、請求項２２に記載の方法。
【請求項２５】
前記スケジューリング情報は、前記装置間接続の接続識別子（ＣＩＤ）及び前記装置間接続において通信するための少なくとも１つのシグナリングパラメータを含む、
請求項２４に記載の方法。
【請求項２６】
コンピュータ可読媒体であって、拡張ノードＢ（ｅＮｏｄｅＢ）のプロセッサにより実行される場合、該ｅＮｏｄｅＢに：
第１の装置からコンテンツ又はサービスの要求を受信するステップ；
前記第１の装置と少なくとも第２の装置との間のデバイスディスカバリをスケジューリングするステップであって、送信モードで動作させるために、前記第１又は第２の装置の一方を指定すること、及び受信モードで動作させるために、前記第１又は第２の装置の他方を指定することを含む、ステップ；
前記第１又は第２の装置の他方からディスカバリレポートを受信するステップであって、該ディスカバリレポートは、前記デバイスディスカバリ期間において、前記第１又は第２の装置の他方により受信される場合の、前記第１又は第２の装置の一方からの送信の信号品質についての情報を含む、ステップ；及び
前記受信したディスカバリレポートに従って、前記第１及び第２の装置の間の前記装置間接続を決定するステップ；
を含む動作を実行させる命令を含む、コンピュータ可読媒体。
【請求項２７】
少なくとも前記第１の装置と前記第２の装置との間の装置間の距離に基づき、複数の候補装置の中から少なくとも前記第２の装置を選択するステップであって、前記第１の装置及び前記第２の装置の両方は、互いにセル内に位置する、ステップ；
をさらに含む、請求項２６に記載のコンピュータ可読媒体。
【請求項２８】
前記少なくとも前記第２の装置を選択するステップは、前記デバイスディスカバリのスケジューリングの前に、前記第２の装置において要求される前記コンテンツ又はサービスの利用可能性に関する情報を受信すること、を含む、
請求項２７に記載のコンピュータ可読媒体。
【請求項２９】
前記デバイスディスカバリをスケジューリングするステップは、前記デバイスディスカバリ期間において、前記第２の装置における前記コンテンツ又はサービスの利用可能性に関する情報を提供させるために、前記第２の装置に命令することを含む、
請求項２６に記載のコンピュータ可読媒体。
【請求項３０】
前記デバイスディスカバリをスケジューリングするステップは、前記デバイスディスカバリ期間において要求される前記コンテンツ又はサービスに対応する識別情報を送信させるために、前記第１の装置に命令することを含む、
請求項２６に記載のコンピュータ可読媒体。
【発明の詳細な説明】
【技術分野】
【０００１】
本開示は、一般に無線通信に関連する。より具体的には、本開示は、ライセンスバンドにおけるデバイス間通信に関連する。
【背景技術】
【０００２】
マルチメディア、ゲーム、及びソーシャル・ウェブサービスの到来に伴い、複数の装置において発信及び着信されるデータトラフィックの量は増加している。これらの装置が無線装置であり、かつライセンスバンドの無線アクセスネットワーク（例えば、ロングタームエボルーション（ＬＴＥ）ネットワーク）内で動作する場合、通信経路は、発信側装置から基地局への無線データ伝送、コアネットワークに沿った可能なデータ伝送、及び基地局から着信側装置への他の無線データの伝送を含む。発信側及び着信側装置が互いに近接している場合、このような通信経路は、チャネル資源の浪費であり得る。これに代えて、チャネルリソースのより良い使用は、装置間の直接通信を可能とすることであるかもしれない。
【０００３】
しかしながら、装置は、全方向に送信するため、送信は、円形に放射され、全方向において広がることを意味し、着信側装置と直接通信を試みる発信側装置は、意図せずに、近くにある１つ以上の装置にも送信するかもしれない。その結果としての干渉は、着信側装置にとっても、近くにある（複数の）装置にとっても、それらが受信することを意図する送信を受信することができない程、ひどくなるかもしれない。直接通信を許可することは、チャネルリソースの使用を改善するよりも、むしろ、実際には、ネットワークの効率を低下させることに行き着くかもしれない。
【発明の概要】
【発明が解決しようとする課題】
【０００４】
装置間の直接通信に関連する干渉が最小限であるか、そうでなければ管理されるとしても、ネットワークオペレータは、サービス品質（ＱｏＳ）及び干渉管理のためだけではなく、そのライセンスバンドの使用に対するデータサービス課金を正確に割り当てるためにも、そのチャネルリソースの使用の管理を維持することを好む。
【課題を解決するための手段】
【０００５】
無線通信ネットワークのライセンスバンドにおける装置間接続を制御する拡張ノードＢ（ｅＮｏｄｅＢ）であって、前記ｅＮｏｄｅＢは：
第２の装置と通信する第１の装置からの要求、又はコンテンツ又はサービスに対する前記第１の装置からの要求を受信する送受信部；
前記送受信部と通信するプロセッサであって、該プロセッサは、前記第１の装置と少なくとも候補装置との間のデバイスディスカバリをスケジュールし、かつ前記第１又は候補装置の一方により生成されたディスカバリレポートに基づき、前記第１の装置と前記候補装置との間の前記装置間接続の設定を判定し、前記ディスカバリレポートは、前記スケジュールされたデバイスディスカバリの際に、前記第１又は候補装置の一方により受信される前記第１又は候補装置の他方からの伝送の信号品質についての情報を含む、プロセッサ；
を備える。
【０００６】
拡張ノードＢ（ｅＮｏｄｅＢ）であって、
第２の装置と通信するための第１の装置からの要求、又はコンテンツ又はサービスに対する前記第１の装置からの要求を受信する送受信部；
前記送受信部と通信するプロセッサであって、前記プロセッサは、前記第１の装置と少なくとも候補装置との間のデバイスディスカバリをスケジュールし、かつ前記第１又は候補装置の一方により生成されたディスカバリレポートに基づき、前記第１の装置と前記候補装置との間の装置間接続の設定を判定し、前記ディスカバリレポートは、前記スケジュールされたデバイスディスカバリの際の送信信号品質についての情報を含み、前記第１の装置及び前記候補装置の両方は、前記ｅＮｏｄｅＢにより提供されるセル内に位置する、プロセッサ；
を備えるｅＮｏｄｅＢ。
【０００７】
拡張ノードＢ（ｅＮｏｄｅＢ）を含む無線通信ネットワークのライセンスバンドにおける装置間接続を制御する方法であって：
第２の装置と通信するための第１の装置からの要求を受信するステップ；
前記ｅＮｏｄｅＢにより、前記第１の装置と前記第２の装置との間のデバイスディスカバリをスケジュールするステップであって、デバイスディスカバリ期間において、送信モードで動作させるために、前記第１又は第２の装置の一方を指定すること、及び受信モードで動作させるために前記第１又は第２の装置の他方を指定することを含む、ステップ；
前記第１又は第２の装置の他方からディスカバリレポートを受信するステップであって、該ディスカバリレポートは、前記デバイスディスカバリ期間において、前記第１又は第２の装置の他方により受信される場合の、前記第１又は第２の装置の一方からの送信の信号品質についての情報を含む、ステップ；及び
前記ｅＮｏｄｅＢにより、前記受信したディスカバリレポートに従って、前記第１及び第２の装置の間の前記装置間接続を決定するステップ；
を備える、方法。
【０００８】
コンピュータ可読媒体であって、拡張ノードＢ（ｅＮｏｄｅＢ）のプロセッサにより実行される場合、該ｅＮｏｄｅＢに：
第１の装置からコンテンツ又はサービスの要求を受信するステップ；
前記第１の装置と少なくとも第２の装置との間のデバイスディスカバリをスケジューリングするステップであって、送信モードで動作させるために、前記第１又は第２の装置の一方を指定すること、及び受信モードで動作させるために、前記第１又は第２の装置の他方を指定することを含む、ステップ；
前記第１又は第２の装置の他方からディスカバリレポートを受信するステップであって、該ディスカバリレポートは、前記デバイスディスカバリ期間において、前記第１又は第２の装置の他方により受信される場合の、前記第１又は第２の装置の一方からの送信の信号品質についての情報を含む、ステップ；及び
前記受信したディスカバリレポートに従って、前記第１及び第２の装置の間の前記装置間接続を決定するステップ；
を含む動作を実行させる命令を含む、コンピュータ可読媒体。
【図面の簡単な説明】
【０００９】
【図１】いくつかの実施例に従う無線通信ネットワークの例（一部）を示す図である。
【図２】いくつかの実施例に従う、図１の無線通信ネットワークに含まれる基地局（及び装置）の詳細を示すブロック図の例を示す図である。
【図３Ａ】いくつかの実施例に従う、同じ基地局に関連付けられた装置間におけるライセンスバンドでのセル内Ｄ２Ｄ通信の集中制御を可能とするためのフロー図の例を示す図である。
【図３Ｂ】いくつかの実施例に従う、同じ基地局に関連付けられた装置間におけるライセンスバンドでのセル内Ｄ２Ｄ通信の集中制御を可能とするためのフロー図の例を示す図である。
【図４Ａ】いくつかの実施例に従う、図３Ａ−３Ｂのフロー図に関連するタイミング図の例を示す図である。
【図４Ｂ】いくつかの実施例に従う、図３Ａ−３Ｂのフロー図に関連するタイミング図の例を示す図である。
【発明を実施するための形態】
【００１０】
以下の説明は、無線通信ネットワークのライセンスバンドにおけるセル内装置間通信を集中的に設定及び制御するための、コンピュータシステム構成及び関連する方法及び製品を、当業者が作成及び使用することを可能にするために提供される。一実施例において、第１の装置は、特定の第２の装置との通信を要求する。それらの装置が、互いに可能な装置間距離内にある場合に、基地局は、第１及び第２の装置の間のデバイスディスカバリ（ｄｅｖｉｃｅ  ｄｉｓｃｏｖｅｒｙ）をスケジュールする。デバイスディスカバリは、第２の装置に、第１の装置の送信を測定させ、そして第１の装置からの送信の信号品質に関するレポートを生成させるように、及び／又はその逆に動作可能である。基地局は、装置間のリンク又は従来の装置と基地局間のリンク（第１の装置と基地局との間及び第２の装置と基地局との間）を設定することを決定するために、そのレポートを使用する。装置間のリンクが好ましい場合、基地局は、特定の接続に対する接続識別子及び他の複数の接続パラメータを決定し、それらは、当該２つの装置の間の装置間のリンクを設定するために、第１及び第２の装置それぞれに対して通知される。
【００１１】
他の実施例において、第１の装置は、特定のコンテンツ又はサービスを要求するが、どの（複数の）装置がそのようなコンテンツ／サービスを提供しているかを知らない。ネットワークは、要求されたコンテンツ／サービスを提供でき、かつ第１の装置の可能なＤ２Ｄ範囲内にある１つ以上の候補装置を決定する。デバイスディスカバリは、候補装置それぞれが、第１の装置の送信を測定し、かつその送信の信号品質に関するレポートを生成するように、及び／又はその逆を行うようにスケジュールされる。候補装置それぞれからの又はそれについてのレポートは、候補装置から１つの装置を選択するため、及び装置間のリンク又は装置と基地局との間のリンクを設定することを決定するためにも使用される。装置間のリンクが望ましい場合、第１の装置と候補装置から選択された複数の装置の中の１つとの間の装置間リンクを設定するために、接続識別子及びその他の複数の接続パラメータが決定される。
【００１２】
これらの実施例に対する各種変更は、当業者には容易に明らかとなり、そして、本明細書に定義された一般的な原理は、本発明の範囲から逸脱することなく、他の複数の実施例及び応用に適用することができる。また、以下の説明において、説明のために、多数の詳細が記載されている。しかしながら、当業者は、これらの具体的な詳細を用いることなく、本発明の複数の実施例を実施できることを理解するであろう。他の複数の例において、本発明の複数の実施例の説明を、不必要な詳細により不明瞭にしないようにするために、複数の周知の構造及び処理は、ブロック図の形では示されていない。従って、本開示は、示される複数の実施例により限定されることは意図されておらず、本明細書に開示される複数の原理及び特徴と一致する最も広い範囲と一致すべきである。
【００１３】
図１は、いくつかの実施例に従う、無線通信ネットワーク１００の例（一部）を示す。一実施例において、無線通信ネットワーク１００は、第３世代パートナーシッププロジェクト（３ＧＰＰ）ロングタームエボルーション（ＬＴＥ）標準を用いた、時分割デュプレックス（ＴＤＤ）モード又は周波数分割デュプレックス（ＦＤＤ）モードにおいて動作する、ＥＵＴＲＡＮ（ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ）を含む。他の実施例において、無線通信ネットワーク１００は、ＷｉＭａｘネットワーク、符号分割多重接続（ＣＤＭＡ）ネットワーク、汎欧州デジタル移動電話方式（ＧＳＭ（登録商標））ネットワーク、又は他の各種ライセンスバンドネットワークを含む。
【００１４】
無線通信ネットワーク１００は、基地局１０２及び複数の装置１０６、１０８、１０９を含む。基地局１０２（ＢＳ又は次世代ＮｏｄｅＢ（ｅＮｏｄｅＢ又はｅＮＢ）とも呼ばれる）は、セル１０４として示される、特定の地理的エリアにおいてサービスを提供するように構成されている。セル１０４内に位置する複数の装置１０６、１０８、１０９は、基地局１０２からのサービス提供を受ける。基地局１０２は、複数の装置１０６、１０８、１０９のそれぞれと、第１のキャリア周波数及び、選択的に、１つ以上の第２のキャリア周波数で通信するように構成されている。説明を簡単にするために、図１には単一の基地局のみが示されている。しかしながら、無線通信ネットワーク１００は、１つより多くの基地局を含み、各基地局は、基地局１０２に隣接するか、或いはしなくてもよい特定のセルに対してサービスを提供する。
【００１５】
複数の装置１０６、１０８、１０９（ユーザ装置（ＵＥ）とも呼ばれる）は、これらには限定されないが、携帯電話、スマートフォン、タブレット、ラップトップ、デスクトップ、パーソナルコンピュータ、サーバ、携帯情報端末（ＰＤＡ）、ウェブアプライアンス、セットトップボックス（ＳＴＢ）、ネットワークルータ、スイッチ又はブリッジ、等を含む、無線通信ネットワーク１００内で通信するように構成された各種装置を含んでもよい。複数の装置１０６、１０８、１０９は、第１の装置１０６、第２の装置１０８、及び第３の装置１０９を含む。複数の装置１０６、１０８、１０９の１つ以上は、任意の時間において、セル１０４内又はセル１０４外に移動してもよい。任意の時点において、３つ未満又は３つより多くの装置が基地局１０２のサービス提供を受けてもよい。
【００１６】
一実施例において、セル１０４内に位置する装置１０６、１０８、１０９は、複数の無線フレームを用いて、基地局１０２に対してデータを送信し（上りリンクの伝送）、そして基地局１０２からデータを受信する（下りリンクの伝送）。各無線フレームは、複数の上りリンク及び下りリンクのサブフレームを含む。ここで、当該複数の上りリンク及び下りリンクのサブフレームは、サポートされる複数の上りリンク−下りリンク構成比率の中から基地局１０２により選択された上りリンク−下りリンク構成比率に従って構成されている。サポートされる上りリンク−下りリンク構成比率のセットの例は、３ＧＰＰ  ＬＴＥネットワークに対する、３ＧＰＰ  ＴＳ  ３６．２１１Ｖｅｒｓｉｏｎ  ９．１．０，  Ｅ−ＵＴＲＡ  Ｐｈｙｓｉｃａｌ  Ｃｈａｎｎｅｌｓ  ａｎｄ  Ｍｏｄｕｌａｔｉｏｎ  （Ｒｅｌｅａｓｅ  ９），  Ｍａｒｃｈ  ２０１０において提供される。
【００１７】
第１の装置１０６が第２の装置１０８と通信しようとする場合、従来の通信処理は以下の通りである：データは、第１の従来の経路１１０aに沿って、第１の装置１０６から基地局１０２に送信される；次に、データは処理のためにコアネットワークに渡され、基地局１０２に戻る（基地局１０２におけるローカルスイッチが有効な場合を除く）；そして最後に、基地局１０２は、第２の従来の経路１１０ｂに沿って、（可能な処理と共に）データを第２の装置１０８に中継する。通信経路の各脚部における伝送速度は、例えば、第１の従来の経路１１０ａに対して４メガビット／秒（Ｍｂｐｓ）であり、かつ第２の従来の１１０ｂに対して、２４Ｍｂｐｓである。従って、通信経路の第１の部分における４Ｍｂｐｓの速度が、基地局１０２を経由しての第１の装置１０６から第２の装置１０８への全体のデータ速度を制限する。逆に、基地局１０２を経由しての第２の装置１０８から第１の装置１０６への従来の通信経路は、第２の装置１０８と基地局１０２との間の第１の従来の経路１１２ａ、及び基地局１０２と第１の装置１０６との間の第２の従来の経路１１２ｂとを含む。この例を続けると、第１及び第２の従来の経路１１２ａ、１１２ｂそれぞれに関連する伝送速度は、２４Ｍｂｐｓであり得る。
【００１８】
第１及び第２の装置１０６、１０８が、（例えば、データが基地局１０２を経由して通過することなく）互いに直接通信を行う場合、第１及び第２の装置１０６、１０８の間に、直接通信経路１１４を定義することができる。この例を続けると、直接通信経路１１４に関連する伝送レートは、１０Ｍｂｐｓであり得る。従って、第１の装置１０６から第２の装置１０８へのデータ伝送は、（第１の従来の経路１１０ａのため、４Ｍｂｐｓに制限される）基地局１０２を経由することに代えて、（１０Ｍｐｂｓの）直接通信経路１１４において送信されるべきである。しかしながら、第２の装置１０８から第１の装置１０６への速度は、（１０Ｍｐｂｓの）直接通信経路１１４よりも、基地局１０２経由（２４Ｍｐｂｓ）の方が速い。このため、この方向に流れる通信は、基地局１０２を経由すべきである。無線通信ネットワーク１００は、以下に詳細に説明するように、多数の要因と共に、データ速度の最適化に基づき、最適なデータ送信経路を決定する。
【００１９】
図２は、いくつかの実施例に従う基地局１０２の詳細を示すブロック図の例を示す。基地局１０２は、プロセッサ２０２、メモリ２０４、送受信部２０６、複数の命令２０８、及び他の構成要素（図示せず）を含む。プロセッサ２０２は、１つ以上の中央処理装置（ＣＰＵ）、グラフィックス処理ユニット（ＧＰＵ）、又は両方を含む。プロセッサ２０２は、基地局１０２に対して、処理機能及び制御機能を与えるように構成されている。メモリ２０４は、基地局１０２に対する、命令、データ、設定情報、等を記憶するように構成される、１つ以上の一時的又は静的なメモリユニットを含む。送受信部２０６は、基地局１０２の範囲内において、装置１０６、１０８、１０９との上りリンクの受信を行い、そして下りリンクの送信を行うように構成されている。送受信部２０６は、ＭＩＭＯ通信をサポートするために、マルチ入力、マルチ出力（ＭＩＭＯ）アンテナを含む。
【００２０】
複数の命令２０８は、コンピュータ装置（又はマシン）に、本明細書において考察される複数の方法のいずれかを実行させるための、コンピュータ装置（又はマシン）で実行される１つ以上の命令のセット又はソフトウェアを含む。複数の命令２０８（コンピュータ又は機械可読命令とも呼ばれる）は、その実行中に、完全に又は少なくとも部分的に、プロセッサ２０２及び／又はメモリ２０４に常駐してもよい。また、プロセッサ２０２及びメモリ２０４は、機械可読媒体を含む。一実施例において、プロセッサ２０２は、基地局１０２によりサービスの提供を受ける複数の装置の間のライセンスバンドでの装置間（Ｄ２Ｄ）通信の集中制御を可能とするために、複数の命令２０８を実行する。
【００２１】
また、基地局１０２に関する上記１つ以上の構成要素は、基地局１０２によりサービスの提供を受ける複数の装置それぞれに含まれてもよい。これらの装置のいずれも、基地局１０２により実行されるものと同様な複数の機能又は動作を実行するという点において、このような複数の機能又は動作は、基地局１０２に含まれるものと同様なハードウェア、ファームウェア、及び／又はソフトウェアを用いて実行されてもよい。
【００２２】
図３Ａ−３Ｂは、いくつかの実施例に従う、所定の基地局と関連付けられた装置間の、ライセンスバンドにおけるセル内Ｄ２Ｄ通信の集中制御を可能にするための例示的なフロー図３００を示す。図４Ａ−４Ｂは、いくつかの実施例に従う、フロー図３００に関連するタイミング図の例を示す。図４Ａ−４Ｂに関連して、図３Ａ−３Ｂを以下に説明する。
【００２３】
以下に詳細に説明するように、基地局（例えば、基地局１０２）は、基地局経由の従来の通信に対して、Ｄ２Ｄ通信がネットワークリソースのより良い使用であるか否かを判定する。Ｄ２Ｄ通信が好ましい場合（単方向又は双方向のいずれか）、基地局は、安全なＤ２Ｄ接続を認可及び設定し、かつ装置の対の間の全てのＤ２Ｄ通信をスケジュールする。このように、基地局は、Ｄ２Ｄリンク及び装置−基地局（Ｄ２Ｂ）リンクにおけるライセンスバンドのリソースの再利用を管理し、そして、サービス品質（ＱｏＳ）、干渉、トラフィック負荷、及びそのセル（例えばセル１０４）内の他の複数のサービスパラメータの制御を維持する。
【００２４】
一実施例において、図３Ａ及び４Ａは、通信要求時において、発信側装置（例えば、第１の装置１０６）及び着信側装置（例えば、第２の装置１０８）が、通信ネットワーク１００により既に知られている、第１のプロトコルを示す。図３Ａのブロック３０２において、基地局１０２は、第２の装置１０８（Ｄ２とも呼ばれる）等の、特定の装置と通信するために、第１の装置１０６（Ｄ１とも呼ばれる）からの要求を受信する（図４Ａの通信４０２）。
【００２５】
受信された要求に応答して、ブロック３０４において、基地局１０２は、第１及び第２の装置１０６、１０８がセル１０４内にあり、かつ互いにＤ２Ｄの範囲内にあるか否かを判定する。第１及び第２の装置１０６、１０８が、現在、互いに進行中のセッションを有する場合、基地局１０２は、事前に定められたイベントの発生時に、これらの装置に対して、デバイスディスカバリ期間をスケジュールする。当該事前に定められたイベント（ネットワーク定義のトリガとも呼ばれる）は、１つ以上のイベントであり得る。一例として、予め定められたイベントは、第２の装置１０８が、第１の装置１０６の関連付けられているものと同じ基地局にハンドオーバする場合であり得る。第１及び第２の装置１０６、１０８が、現在、確立されたセッションを互いに利用していない場合、無線通信ネットワーク１００（又は、基地局１０２）は自動的に又は事前に定められたイベントの存在に応答して、従来のインフラストラクチャ（例えば、Ｄ２Ｂ）のリンクにおけるそれらのセッションの設定の前に、第１及び第２の装置１０６、１０８が互いのＤ２Ｄ範囲内にあるか否かを確認する。Ｄ２Ｄ範囲の十分性の確認の例は、第１及び第２の装置１０６、１０８が同じ基地局（例えば、基地局１０２）と関連付けられているか否かを確認すること、第１及び第２の装置１０６、１０８についての位置情報（例えば、全地球測位衛星（ＧＰＳ）による位置）を取得すること等を含む。
【００２６】
次に、ブロック２０６において、デバイスディスカバリ期間を開始するための（複数の）条件が一度満たされると、基地局１０２は、デバイスディスカバリ・リソース割り当てをスケジュールする。デバイスディスカバリ・リソース割り当てにおいて、第２の装置１０８は、第１の装置１０６からの送信（送信４０４）を測定する。この説明の残りの部分は、前述のデバイスディスカバリの役割分担に基づいているが、基地局１０２は、第２の装置１０８が送信する一方で第１の装置１０６に測定を行わせるように、同じように容易に割り当てることができ、或いはディスカバリ期間の異なる複数の部分において、２つの装置に異なる役割を割り当てることができると理解される。また、基地局１０２は、（ＷｉＦｉディスカバリと同様に）複数の装置がランダムに送信及び測定を行う、アドホック・ディスカバリ期間を割り当てることができる。割り当ての構造は、第１の装置１０６が特定のメッセージであって、典型的には、接続を設定するために基地局１０２に送信される、メッセージ、を送信するための複数の命令、特定の広告メッセージ（ａｄｖｅｒｔｉｓｅｍｅｎｔ  ｍｅｓｓａｇｅ）、特定のパイロットメッセージ、データＰＩＮＧ、又は他の任意の情報（まとめてディスカバリメッセージと呼ぶ）を含む。また、割り当て構造は、リソース割り当て期間において測定すること及び何を測定するかについての、第２の装置１０８に対する複数の命令を含む。いくつかの点で、第１の装置１０６は、それが通常、基地局１０２と通信するために行うように、データを送信する。第１の装置１０６は、第２の装置１０８により測定されるためにデータを送信する必要があるということを、認識しないかもしれない。
【００２７】
例えば、無線通信ネットワーク１００が３ＧＰＰのＬＴＥネットワークである場合において、基地局１０２は、特定の上りリンク−下りリンク構成比率の選択により、そのセル１０４内のデータトラフィックを制御する。特定の上りリンク−下りリンク構成比率に従って、基地局１０２に関連付けられる複数の装置全てが、各期間において、送信モード又は受信モードに切り替わる。スケジュールされたデバイスディスカバリ・リソース割り当て時に、第１の基地局１０６は、送信モードで動作（それが、特定の上りリンク−下りリンクの構成比率に従って通常行うように）するが、しかし、第２の装置１０８は、少なくともその上りリンク期間の一部の間、受信モードに切り替えるように命令される（特定の上りリンク−下りリンクの構成比率に反して）。
【００２８】
また、ＴＤＤモードで動作する３ＧＰＰのＬＴＥネットワークにおいて、下りリンク及び上りリンクは、同じ周波数帯域において実行されるので、従って、それが上りリンク又は下りリンクにおいてスケジュールされるに係わらず、単一のスケジュールされるデバイスディスカバリで、Ｄ２Ｄチャネル品質を測定するのに十分である。ＦＤＤモードで動作する３ＧＰＰのＬＴＥネットワークにおいて、下りリンクと上りリンクは、異なる周波数を使用して実行される。従って、Ｄ２Ｄリンクが上りリンクと下りリンクの両方においてスケジュールされる場合、基地局１０２は、少なくとも２つのディスカバリ・リソース割り当てをスケジュールする。その１つは、下りリンクの複数の周波数に対するものであり、そして他方は、上りリンクの複数の周波数に対するものである。
【００２９】
ブロック３０８において、基地局１０２は、第１の装置１０６により、スケジュールされたデバイスディスカバリ・リソース割り当てに従って送信されるディスカバリメッセージを受信する（通信４０６）。デバイスディスカバリ割り当てにおいて、第２の装置１０８が、第１の装置１０６からのディスカバリメッセージを正常に受信する（もれ聞く）場合、第２の装置１０８は、信号品質、チャネル品質、チャネル情報、及び第１の装置１０６からの送信の受信に関連するその他の複数の特性（まとめて、デバイスディスカバリ・レポートと呼ぶ）を認識することができる。第２の装置１０８は、デバイスディスカバリ・レポートを基地局１０２に送信し（通信４０８）、そして基地局１０２は、それに応答して、ブロック３１０において、そのようなデバイスディスカバリ・レポートを受信する。
【００３０】
第２の装置１０８から受信したデバイスディスカバリ・レポートに基づき、基地局１０２は、ブロック３１２において、単方向Ｄ２Ｄリンク、双方向Ｄ２Ｄリンク、又はＤ２Ｂリンク（例えば、Ｄ２Ｄリンク無し）のいずれが最適であるか判定する。基地局１０２は、これらには限定されないが、チャネル品質、要求されるＱｏＳ、トラフィック負荷、潜在的な干渉、などを含む、多数の要因を考慮する。
【００３１】
Ｄ２Ｄ接続は、（１）チャネルの再利用の増加及び最適化、（２）第１及び第２の装置１０６、１０８の間のデータ伝送速度の上昇、及び（３）送信（セグメント）の数の減少により、ネットワーク容量を増加させることができる。増加したチャネルの再利用は、Ｄ２Ｄリンクが、たいていのＤ２Ｂリンクよりも、距離においてかなり短く、かつ地表に近いことの結果である。伝搬経路が短くなるだけでなく、多くの場合において、シャドーイング及び／又は干渉が少なくなるので、短い距離は、より低い送信電力での、より高いデータ速度を可能にする場合がある。地表からのより短い距離は、他のＤ２Ｄ接続及び標準的なＤ２Ｂ接続からの信号の分離を向上させる（例えば、それらは、許容できる干渉のレベルで、同じスペクトルを再利用することができる）。基地局は、Ｄ２Ｄリンク及びＤ２Ｂリンクの両方のスケジューリングを制御するので、負荷の重い、ライセンスバンドの再利用を最適化するために、適切なプロトコル（例えば、動的基地局スケジューリング、ＭＩＭＯベースの干渉管理、重畳符号化（ｓｕｐｅｒ−ｐｏｓｉｔｉｏｎ  ｃｏｄｉｎｇ）等）を使用することができる。また、Ｄ２Ｄ接続は、従来の２ホップ経路（発信側の装置から基地局、コアネットワークを介し、そしてその後の基地局から着信側の装置）を所定のデバイスの対の間の１ホップの経路に置き換えることにより、送信の数を減少させる。
【００３２】
第１及び第２の装置１０６、１０８の間のＤ２Ｄリンクは好ましくないと基地局１０２が判定した場合（ブロック３１４のｎｏ分岐）、基地局１０２は、標準Ｄ２Ｂリンクを設定するために、第１の装置１０６及び第２の装置１０８と通信する（ブロック３１６）。そうでばければ、基地局１０２は、単方向又は双方向のＤ２Ｄリンクを設定するべきであると判定しており（ブロック３１４のｙｅｓ分岐）、そして、基地局１０２は、第１及び第２の装置１０６、１０８の間のＤ２Ｄ接続を設定するための各種接続パラメータを決定する(ブロック３１８）。Ｄ２Ｄリンクは単方向であるが、第１及び第２の装置１０６、１０８の間のトラフィックが双方向である場合、基地局１０２は、非Ｄ２Ｄトラフィック方向に関して、両方のデバイスとのＤ２Ｂリンクも設定する。
【００３３】
ブロック３１８において、基地局３１８は、所望のＤ２Ｄ接続を設定するために、適切な接続識別子（ＣＩＤ）、セキュリティコンテキスト（及び場合によっては装置の再度の認証）、最適な送信電力レベル、変調／符号化レベル、及び他の複数の接続パラメータ（まとめて、Ｄ２Ｄスケジューリング情報又はメッセージと呼ばれる）を決定又は設定する。例えば、装置が近隣のデバイスに送信する場合には、基地局に送信する場合よりも、送信電力レベルを低くすることができる。電力レベルの最適化は、干渉の可能性を減少させ、そして装置のバッテリ寿命を延長する。ネットワーク規格に応じて、基地局１０２は、所望のＤ２Ｄトラフィック方向それぞれに対する別個のＣＩＤを生成してもよく、或いはＤ２Ｄリンクの両方のトラフィック方向に対して単一のＣＩＤを生成するだけであってもよい。Ｄ２Ｄリンクの両方のトラフィック方向に対して、単一のＣＩＤを使用する場合であって、スケジューリングメカニズムがＤ２ＤのＣＩＤに帯域幅を割り当てる場合、スケジューリングメカニズムは、特定の時点において、どの装置が「送信の権利」を有するかについても指定する。このようなＤ２Ｄ接続スケジューリング情報は、ブロック３２０において、第１及び第２の装置１０６、１０８それぞれに対して送信（マルチキャスト）される（通信４１０）。
【００３４】
次に、ブロック３２２において、基地局２０１は、Ｄ２Ｄ接続が設定されたことの確認を、第１及び第２の装置１０６、１０８それぞれから受信する（通信４１２）。基地局１０２は、設定されたＤ２Ｄにおける、第１及び第２の装置１０６、１０８の間の各通信を制御及びスケジュールするので、最後に、ブロック３２４で、基地局１０２は、第１及び第２の装置１０６、１０８からの次の帯域幅の要求に関連するスケジューリングパラメータ（例えば、最適な電力レベル、変調／符号化レベル、スケジュールリソース）を設定するために、Ｄ２Ｄリンクに関するチャネル品質、ＱｏＳ、トラフィック負荷、干渉情報、リンクデータ速度、リンク性能特性等の情報を受信及び監視する。監視される性能特性に応じて、基地局１０２は、必要な場合、データトラフィックをインフラストラクチャ経路に戻すことを決定できる。
【００３５】
特定のＤ２ＤのＣＩＤに関連した将来の帯域幅要求において、基地局１０２は、スケジューリングマップ／メッセージにおいてチャネルリソースを割り当てるためのＤ２ＤのＣＩＤを用いる。基地局１０２は、最適な電力、変調／符号化レベルを設定するために、Ｄ２Ｄリンクについてのチャネル品質、ＱｏＳ、トラフィック負荷、及び干渉情報を使用し、そしてネットワークの性能を最適化するために、リソースをスケジュールする。
【００３６】
別の実施例において、図３Ａ、３Ｂ、及び４Ｂは、第２のプロトコルを示す。ここで、発信側装置（例えば、第１の装置１０６）は、それが必要とするコンテンツ又はサービスについてだけ認識しているが、それが接続することを必要とする装置については認識していない。ブロック３０２において、基地局１０２は、第１の装置１０６からのデータコンテンツ又はサービスに対する要求を受信する（図４Ｂの通信４２０）。図３Ｂは、ブロック３０２の複数のサブブロックを示す。ここで、基地局１０２は、第１の装置１０６からデータコンテンツ又はサービスに対する要求を受信し（サブブロック３３０）、そして要求されたデータコンテンツ又はサービスを提供できる可能性のある（複数の）装置を決定する（サブブロック３３２）。
【００３７】
サブブロック３３２及びブロック３０４において、ネットワーク１００が、その加入者デバイスにより提供されるデータコンテンツ及び／又はサービスのデータベースを維持する（又はそれに対するアクセスを有する）場合、ネットワーク１００（又は基地局１０２）は、セル１０４内に位置する（複数の）装置のどれが、第１の装置１０６により要求されたコンテンツ／サービスを提供するか判定する。ネットワーク１００（又は基地局１０２）がセル１０４内の複数の装置に関するより具体的な位置情報（例えばＧＰＳ座標など）を有する場合、データベースに従い、第１の装置１０６の可能なＤ２Ｄ範囲内にあり、かつ第１の装置１０６により要求されるコンテンツ／サービスを提供する（複数の）装置だけが選択されてもよい。代替的に、ネットワーク１００（又は基地局１０２）は、データベースにより識別されたものを超えて、適格な装置のグループを拡張することを選択してもよい。いくつかの実施例において、データベースは、例えばメモリ２０４（図２）といったように、基地局１０２に含まれてもよい。
【００３８】
ネットワーク１００がそのようなデータベースを維持しない（又はそれに対するアクセスを有しない）場合、ネットワーク１００（又は基地局１０２）は、少なくとも、第１の装置１０６のＤ２Ｄ範囲内の（複数の）装置を識別し（例えば、同じ基地局との関連付け、又はＧＰＳデータなどの、特定の位置情報に基づいて）、そして、それらの（複数の）装置に対して、要求されたコンテンツ／サーバを提供するか否かについて問い合わせる。基地局１０２がアドホックディスカバリ期間をスケジュールすることを計画する場合、この問い合わせを無視して、その代わりに要求されたコンテンツ／サービスを有する装置だけが第１の装置１０６とのディスカバリに参加するように要求する。例えば、要求されたコンテンツ／サービスを提供するために、第１の装置１０６とのＤ２Ｄ接続の候補として識別された複数の装置は、第２の装置１０８及び第３の装置１０９（また、Ｄ３とも呼ばれる）のそれぞれであり得る。１つ以上の装置が候補装置として識別され得る。
【００３９】
次に、ブロック３０６で、基地局１０２は、第１のプロトコルに関して上述したものと同様に、第１の装置１０６及びＤ２Ｄ接続の候補として識別された全ての装置（例えば、第２及び第３の装置１０８、１０９）について、デバイスディスカバリ・リソース割り当てをスケジュールする（通信４２２）。割り当て構造は、第１の装置１０６に特定のディスカバリメッセージを送信するように指示し、かつ第２及び第３の装置１０８、１０９それぞれに対して、第１の装置１０６の送信期間において測定を行うように指示する。前に、上で注意したように、この説明において、第１の装置１０６がディスカバリメッセージを送信し、かつ第２及び第３の装置１０８、１０９がディスカバリメッセージを測定し、かつ結果を基地局１０２に通知するように割り当てられているが、基地局１０２は、逆に、又はさらに、第２及び第３の装置１０８、１０９がディスカバリメッセージを送信し、かつ第１の装置１０６がそのようなディスカバリメッセージを測定するようにスケジュールすることができ、或いは基地局１０２は、アドホックディスカバリ期間をスケジュールしてもよい。
【００４０】
いくつかの実施例において、デバイスディスカバリ割り当て期間に正常にディスカバリメッセージを受信した複数の装置が、利用可能な要求されたコンテンツ／サービスを有することを確認できるようにするために、第１の装置１０６は、そのディスカバリメッセージに、要求されるデータコンテンツ／サービスについての情報を含めるようにさらに指示される場合がある。また、第１の装置１０６は、自律的に、この情報を含めることができる。ディスカバリメッセージの中に要求されたデータコンテンツ／サービスについての情報を含めることは、例えば、装置のコンテンツ／サービスの提供をカタログに登録する利用可能なデータベースが存在しない場合、役に立つかもしれない。ディスカバリメッセージを送信するように、基地局１０２が、第２及び／又は第３の装置をスケジュールする場合、これらの装置はそれぞれ、そのコンテンツ／サービスの提供を送信してもよい。
【００４１】
ネットワーク１００（又は基地局１０２）が、データベースを使用して特定されたものを超えて、Ｄ２Ｄ通信のための装置の候補のグループの拡大を選択した場合、これは著しく装置の候補の数を増加させることになり得る。従って、アドホックディスカバリ期間をスケジュールする場合、割り当て構造におけるシグナリングの負荷を軽減するために、これらの装置は、異なる基準（例えば、セクタ、ＧＰＳ位置、信号強度等）に従って、グループ化及び識別されてもよい。
【００４２】
第１のプロトコルに関して上述したものと同様に、デバイスディスカバリが一度スケジュールされると、ブロック３０８において、第１の装置１０６は、特定のディスカバリメッセージを送信し、そしてそのようなディスカバリメッセージは、基地局１０２により受信される（通信４２４）。デバイスディスカバリに参加するようにスケジュールされ、かつ第１の装置１０６により送信されたディスカバリメッセージを正常に受信した（もれ聞いた）各候補装置は、デバイスディスカバリ・レポートを基地局１０２に送信する。第１のプロトコルに関して上述したものと同様に、各デバイスディスカバリ・レポートは、ブロック３０８において、基地局１０２により受信される。この例を続けると、基地局は、第２及び第３の装置１０８、１０９それぞれから、デバイスディスカバリ・レポートを受信する（通信４２６）。基地局１０２は、既に受信しているものから、実行可能なＤ２Ｄ候補を既に見つけている場合、これらのレポートの送信を停止してもよい。デバイスディスカバリ・レポートは、第１の装置１０６からの送信の信号品質、チャネル品質、及びその他の特性についての情報を含む。デバイスディスカバリメッセージが要求されたコンテンツ／サービスについての情報を含む場合、各装置からのデバイスディスカバリ・レポートもまた、各装置における要求されたコンテンツ／サービスの利用可能性について確認する。それに代えて、基地局１０２が、第２及び第３の装置１０８、１０９にディスカバリメッセージを送信させ、かつ第１の装置１０６に測定させるようにスケジュールする場合、第１の装置１０６は、ディスカバリ情報を分析／処理し、かつディスカバリ・レポートを基地局１０２に送信する前に、可能性のある複数の候補のリストをフィルタしてもよい。
【００４３】
次に、ブロック３１２において、デバイスディスカバリ・レポートに基づくコンテンツ／サービスの「ダウンロード」（単方向Ｄ２Ｄリンク、双方向Ｄ２Ｄリンク、Ｄ２Ｂリンク）を達成するために、基地局１０２は、複数の候補装置のうちのどの装置が要求されたコンテンツ／サービスを提供すべきか、及びどのような種類の通信経路を設定すべきか決定する。コンテンツ／サービスの「ダウンロード」についての本来の要求は、選択された装置から第１の装置１０６に対してのものであるが、第１の装置１０６は、その後、コンテンツ／サービスのソースに応答することができるため、基地局１０２は、データトラフィックの両方の方向に関する最適な通信経路を決定することに注意する。第１のプロトコルに関連して上述したように、コンテンツ／サービスのソースデバイス及び通信経路を選択するために、基地局１０２は、各候補装置からの、又はそれについての、チャネル品質、トラフィック負荷、ＱｏＳ、等を考慮する。
【００４４】
この例を続けると、基地局１０２は、第１の装置の要求を満たすために、（第２及び第３の装置１０８、１０９から）第３の装置１０９をコンテンツ／サービスのソースとして選択してもよい。
【００４５】
残りのブロック３１４−３２４は、第１の装置１０６及び選択された装置（この例を続けると、第３の装置１０９）に対してこれらのブロックが実行される以外、上記したものと同様に実行される。特に、基地局１０２は、ブロック３２０において、それらの間のＤ２Ｄ接続を設定又は確立するために、スケジューリング情報を第１及び第３の装置１０６、１０９に通知する（通信４２８）。これに応答して、基地局１０２は、ブロック３２２において、第１及び第３の装置１０６、１０９それぞれからの、Ｄ２Ｄ接続の設定の確認を受信する（通信４３０）。
【００４６】
所定の装置の対の間において、一度Ｄ２Ｄリンクが設定されると、−発信側及び着信側の装置が開始初期から知られている場合及び発信側装置のみが知られている場合の両方の場合について−、制御シグナリングの大部分は、基地局と当該所定の装置の対の間を通過する。Ｄ２Ｄリンクは、主に、データトラフィックのために使用される。しかしながら、いくつかの実施例において、いくらかの制御シグナリングは、基地局を介さずに、当該所定の装置の対の間を通過してもよい。例えば、ネットワークは、パケットの確認応答のためのＡＣＫ／ＮＡＣＫに関して、直接に当該所定の装置の対の間を通すことは、ネットワークリソースのより効率的な使用であると判定してもよい。
【００４７】
従って、ライセンスバンドにおけるセル内のＤ２Ｄ接続の集中制御が本明細書に開示される。無線通信ネットワークは、データトラフィックをインフラストラクチャネットワークから装置間の直接通信リンクに賢く移動させることによって、ネットワーク容量を増加させる。このようなＤ２Ｄリンクの使用は、チャネル再利用を増加させ、データ速度を向上させ、そして送信の数を減少させる。また、このメカニズムは完全に集中化されているので、−ネットワークにより制御及びスケジュールされる−、ネットワークオペレータは、Ｄ２Ｄリンクの完全な監視を維持する。従って、ネットワークオペレータは、ネットワークリソース及びネットワークの性能の制御を維持するだけでなく、価格設定／課金の権利も維持する。
【００４８】
「機械可読媒体」、「コンピュータ可読媒体」、等の用語は、命令の１つ以上のセットを記憶する単一の媒体又は複数の媒体（例えば、集中又は分散データベース、及び／又は関連するキャッシュ及びサーバ）を含むと解釈されるべきである。また、「機械可読媒体」という用語は、機械による実行のための命令のセットであり、かつ機械に本開示の方法の一つ以上を実行させる命令セットを記憶、符号化、又は運ぶことの可能な任意の媒体を含むと解釈されるべきである。従って、「機械可読媒体」という用語は、これらには限定されないが、固体メモリ、光学及び磁気媒体、非一時的、及びキャリア波信号を含むと解釈されなければならない。
【００４９】
明確化を目的として、上記の説明は、異なる機能ユニット又はプロセッサを参照して、いくつかの実施例を記載していることが理解されるであろう。しかしながら、本発明の複数の実施例から逸脱することなく、異なる機能ユニット、プロセッサ、又はドメイン間の機能の適切な任意の分散を使用してもよいことが明らかであろう。例えば、別個の複数のプロセッサ又は複数のコントローラにより実行されるように示される機能は、同じプロセッサ又はコントローラにより実行されてもよい。したがって、特定の複数の機能ユニットに対する参照は、厳密な論理的又は物理的構造又は構成を示すというよりも、説明した機能を提供する適切な手段に対する参照であると見なされるべきである。
【００５０】
本発明は、いくつかの実施例に関連して説明されたが、本明細書に記載された特定の形態に限定することは意図されていない。当業者は、本発明に従って、説明された複数の実施例の各種特徴を組み合わされてもよいことを認識するであろう。また、本発明の範囲から逸脱することなく、当業者により、種々の修正及び変更がなされ得ることが理解されるであろう。
【００５１】
要約書は、読者が迅速に技術的開示の性質を確認することを可能にするために提供されている。これは、特許請求の範囲又は意味を解釈又は限定するために使用されないという理解と共に提出される。また、前述の詳細な説明では、開示を簡素化する目的で、各種特徴が単一の実施例にまとめられていることが分かる。請求される複数の実施例は、各請求項に明示的に記載されているよりも多くの特徴を必要とするという意図を反映するものとして、この開示の方法を解釈すべきではない。むしろ、以下の請求項が反映するように、発明の主題は、単一の開示された実施例のすべての特徴よりも少ないところにある。従って、各請求項は、別個の実施例として自立し、これにより、以下の特許請求の範囲は、詳細な説明に組み込まれている。
【００５２】
［関連出願の相互参照］
本出願は、「Ａｄｖａｎｃｅｄ  Ｗｉｒｅｌｅｓｓ  Ｃｏｍｍｕｎｉｃａｔｉｏｎ  Ｓｙｓｔｅｍｓ  ａｎｄ  Ｔｅｃｈｎｉｑｕｅｓ」と題する２０１２年１月２７日に出願された米国仮特許出願第６１／５９１，６４１号の優先権を主張する、２０１２年６月２９日に出願された米国特許出願第１３／５３７，５６８号の優先権を主張し、参照することによりその全内容をここに援用する。
【図１】
2015510333.tif 000003
【図２】
2015510333.tif 000004
【図３Ａ】
2015510333.tif 000005
【図３Ｂ】
2015510333.tif 000006
【図４Ａ】
2015510333.tif 000007
【図４Ｂ】
2015510333.tif 000008
【国際調査報告】
2015510333.tif 000009
2015510333.tif 000010